(57)【要約】【課題】  ＲＦＩＤタグを内蔵する入場券の活用。【解決手段】  識別情報を記憶するＲＦＩＤタグ５を内蔵する入場券１と、  上記ＲＦＩＤタグ５から識別情報を受信する受付機６１と、  上記ＲＦＩＤタグ５が記憶する識別情報と、該識別情報に対応して登録した宛先情報とを記憶する識別番号−アドレスデータベース３５と、  上記受付機６１が上記ＲＦＩＤタグ５から受信した識別情報に対応して登録されている宛先情報を上記識別番号−アドレスデータベース３５から入力するとともに、切り取り券情報、回数券情報、利札情報、割引券情報、引き替え券情報、遊覧券情報、入場券情報、旅行切符情報、景品当り情報、権利当り情報、賞当り情報等の利益提供情報を記憶し、この利益提供情報を宛先情報に基づいてｅメールするチケット管理センタ５１と、を備える利益提供情報提供システム。【選択図】図９
2005148841.tif 000002
【特許請求の範囲】
【請求項１】
識別情報を記憶するＩＤタグと、
上記ＩＤタグから識別情報を受信する識別情報検出手段と、
上記ＩＤタグが記憶する識別情報と、該識別情報に対応して登録した宛先情報とを記憶する宛先登録手段と、
上記識別情報検出手段が上記ＩＤタグから受信した識別情報に対応して登録されている宛先情報を上記宛先登録手段から入力する宛先情報読込手段と、
切り取り券情報、回数券情報、利札情報、割引券情報、引き替え券情報、遊覧券情報、入場券情報、旅行切符情報、景品当り情報、権利当り情報、賞当り情報等の利益提供情報を記憶する利益提供情報記憶手段と、
上記宛先情報読込手段が入力した宛先情報に基づく宛先に、上記利益提供情報記憶手段から読み込んだ所定の利益提供情報を送付する利益提供情報送付手段と
を備える利益提供情報提供システム。
【請求項２】
上記ＩＤタグは、識別情報を格納するＩＣと、
該識別情報を送信するアンテナと
を備えることを特徴とする請求項１に記載の利益提供情報提供システム。
【請求項３】
上記識別情報検出手段は、上記ＩＤタグとの間で通信を行う無線通信手段と、
該無線通信手段による通信内容から該ＩＤタグに記憶されている識別情報を抽出する識別情報抽出手段と
を備えることを特徴とする請求項１、又は請求項２に記載の利益提供情報提供システム。
【請求項４】
上記ＩＤタグは、所定エリアへの入場を許可する入場券に埋設されていることを特徴とする請求項１ないし請求項３の何れかに記載の利益提供情報提供システム。
【請求項５】
上記宛先登録手段への識別情報と、宛先情報との登録は、通信によって行われることを特徴とする請求項１ないし請求項４の何れかに記載の利益提供情報提供システム。
【請求項６】
上記ＩＤタグは、識別情報を電子回路で読込可能に記憶する電子読込可能記憶手段と、
識別情報を光学的に読込可能に記録する光学読込可能記録手段と
を備えることを特徴とする請求項１ないし請求項５の何れかに記載の利益提供情報提供システム。
【請求項７】
上記識別情報検出手段は、所定のエリアの入場口に設置され、上記ＩＤタグから識別情報を受信すると共に、印付加手段が上記ＩＤタグに光学的に判別可能な印を付加することを特徴とする請求項１ないし請求項６の何れかに記載に利益提供情報提供システム。
【請求項８】
上記印付加手段は、上記ＩＤタグから識別情報を読み見込めた場合に限り、該ＩＤタグに印を付加することを特徴とする請求項７に記載の利益提供情報提供システム。
【請求項９】
上記識別情報検出手段は、利益提供情報に関わる説明を掲示した場所に設置されることを特徴とする請求項１ないし請求項８の何れかに記載の利益提供情報提供システム。
【請求項１０】
上記識別情報検出手段は、複数設置されることを特徴とする請求項１ないし請求項９の何れかに記載の利益提供情報提供システム。
【請求項１１】
上記複数設置された上記識別情報検出手段は、それぞれ相違する検出識別情報を有することを特徴とする請求項１０に記載の利益提供情報提供システム。
【請求項１２】
上記複数の識別情報検出手段が受信したＩＤタグの識別情報に基づいて、複数の所定の識別情報検出手段によって検出されている識別情報を検出する条件合致識別情報検出手段を加え、
上記宛先情報読込手段を、上記条件合致識別情報検出手段が検出した識別情報に対応して登録されている宛先情報を上記宛先登録手段から入力するとしたことを特徴とする請求項１１に記載の利益提供情報提供システム。
【請求項１３】
上記複数の識別情報検出手段が受信したＩＤタグの識別情報に基づいて、所定の識別情報検出手段によって検出された識別情報を検出する当り識別情報検出手段を加え、
上記宛先情報読込手段を、上記当り識別情報検出手段が検出した識別情報に対応して登録されている宛先情報を上記宛先登録手段から入力するとしたことを特徴とする請求項１１に記載の利益提供情報提供システム。
【請求項１４】
上記識別情報検出手段が所定時間に受信したＩＤタグの識別情報を検出する時間合致識別情報検出手段を加え、
上記宛先情報読込手段を、上記時間合致識別情報検出手段が検出した識別情報に対応して登録されている宛先情報を上記宛先登録手段から入力するとしたことを特徴とする請求項１ないし請求項１３の何れかに記載の利益提供情報提供システム。
【発明の詳細な説明】
【技術分野】
【０００１】
本発明は、展示会や博覧会、或いは店舗に訪れた顧客に、商品やサービスなどの販売促進に役立つクーポンや当り券などの利益提供情報を提供する技術に関する。
【背景技術】
【０００２】
従来、展示会や博覧会などは、商品やサービスなどの販売促進に利用されることが多い。
このため、展示会や博覧会などでパビリオンを訪れた人に、パンフレットや試供品、或いは試供品クーポンや割引クーポンを渡すことが行われている。
【０００３】
しかしながら、小規模な展示会や博覧会ならばこの様な手法も可能であるが、大勢の人が集まる大規模な場合、或いは漏れのない販促や営業機会を得ようとすると、現物を直接渡す手法は、限界がある。
【０００４】
又、大規模な展示会や博覧会では、招待券や入場券を配布や販売をして、入場者の管理を行うことが良く行われている。
最近、これをＲＦＩＤタグを埋め込んだカードで行うことが多くなってきた。
【０００５】
この様なＲＦＩＤタグを利用することにより、入場券の機能を持たせたり、案内装置としての機能を持たせたせたりすることが可能になる。（特許文献１参照。）
例えば、ＲＦＩＤタグを展示物に取り付けておいて、その情報を利用して、展示物の情報を検索したり受信したりする技術や、展示物にＲＦＩＤタグの受信装置を取り付けておいて、入場者が持参したＲＦＩＤタグをその受信装置が検出したら、入場者の携帯電話機などに展示物の説明を送信する技術が開発されている。
【特許文献１】特開２００２−９２２３１号  （図１）
【発明の開示】
【発明が解決しようとする課題】
【０００６】
ところで、展示会や展覧会に参加する企業や団体の多くは、私企業であり、商品やサービスを提供することで利益を得て、成り立っている。
この様な企業や団体が展示会を開いたり、展覧会に参加する理由は、商品やサービスをより多くの人に知って貰って、商品をより多く購入して貰ったり、サービスをより多くの人に利用して貰うことにある。
【０００７】
しかしながら、展示会や展覧会で展示を見て貰うだけでは、商品の購入やサービスの利用に直接結び付かない場合が多く、更に割引券の提供や試供品の提供などを併用することがある。
【０００８】
又、割引券や試供品を入場者に渡したとしても、それが店頭で利用されたり交換されたりしたときに、その利用者の情報が何ら得られず、更に割引券を提供するなどのリピート率の向上を図る努力に利用することが出来なかった。
【０００９】
そこで、本発明では、展示会や展覧会に訪れた人に、割引券や試供品の引換券などを効率よく提供可能にする利益提供情報提供システムの提供を目的とする。
又、リピート率の向上を図る目的のため、割引券やサンプル品の利用者に、更なる情報を提供することを簡単に実現することを目的とする。
【００１０】
その上、無接触型のＩＤタグ（ＲＦＩＤタグ）を埋設した入場券を、そのまま入場券として用いると、入口での混雑緩和に便利であるが、入場券の外見からは、使用の有無が判別できず、この入場券を入手したものが不審を抱く虞がある。又、ＩＤタグの識別番号のハッキングなどで、不正に第３者が識別番号を使用していた場合に、正規の未使用の入場券を持っているものが、入口で入場券が使用済みと判断されて入場を断られてしまうことが考えられる。しかも、この場合に、正規の入場券の所持者は、何の抗弁を行うことが出来ず、逆に、不正者とされてしまう虞がある。
【００１１】
しかも、３日券とか１週間券とを提供しようとした場合に、その使用期間を表示することが出来ず、不便であった。
この様な入場券に関わる問題の発生を防止することを目的とする。
【課題を解決するための手段】
【００１２】
上記課題を解決するための手段として、請求項１の発明の利益提供情報提供システムは、
識別情報を記憶するＩＤタグと、上記ＩＤタグから識別情報を受信する識別情報検出手段と、上記ＩＤタグが記憶する識別情報と、該識別情報に対応して登録した宛先情報とを記憶する宛先登録手段と、上記識別情報検出手段が上記ＩＤタグから受信した識別情報に対応して登録されている宛先情報を上記宛先登録手段から入力する宛先情報読込手段と、切り取り券情報、回数券情報、利札情報、割引券情報、引き替え券情報、遊覧券情報、入場券情報、旅行切符情報、景品当り情報、権利当り情報、賞当り情報等の利益提供情報を記憶する利益提供情報記憶手段と、上記宛先情報読込手段が入力した宛先情報に基づく宛先に、上記利益提供情報記憶手段から読み込んだ所定の利益提供情報を送付する利益提供情報送付手段とを備えることを要旨とする。
【００１３】
これにより、宛先登録手段には、例えば入場券として機能するＩＤタグを購入や入手したものによって、ＩＤタグの識別情報に対応して、例えば、携帯電話機のメールアドレス等の宛先情報が予め記録される。この状態で、例えば、入場券の必要な展示会や博覧会のエリアに入るゲートを通過すると、そのゲートに設置されている識別情報検出手段が、入場券に埋設されているＩＤタグから識別情報を受信して、エリア内への入場手続きを完了させる。例えば、入場券のデータベース情報に、入場済みの記録を付加する。
【００１４】
又、宛先情報読込手段が、この入場券の識別情報に対応する宛先情報を宛先登録手段から読み込めると、利益提供情報送付手段がその読み込めた宛先情報に基づく宛先、例えば携帯電話機のＥメールに、利益提供情報記憶手段から読み込んだ所定の利益提供情報、例えば切り取り券情報、回数券情報、利札情報、割引券情報、引き替え券情報、遊覧券情報、入場券情報、旅行切符情報、景品当り情報、権利当り情報、又は賞当り情報等を送付する。
【００１５】
この場合に、宛先情報読込手段が宛先登録手段から宛先情報を読み込むことが出来ない場合には、利益提供情報層津手段による利益提供情報の送付は、行われることはない。
又、例えば展示会や博覧会の会場内の展示物や宣伝物、或いは案内物、案内看板の近傍に識別情報検出手段が設置されている場合に、この識別情報検出手段によってＩＤタグから識別情報が読み込まれても同様に、宛先情報に基づく宛先に、例えば切り取り券情報、回数券情報、利札情報、割引券情報、引き替え券情報、遊覧券情報、入場券情報、旅行切符情報、景品当り情報、権利当り情報、又は賞当り情報等が送付される。
【００１６】
従って、例えば、エリアの入口を通過すると、携帯電話機にエリアの説明の文章やアナウンスが送信されてくる。又、展示物に近づくと、携帯電話機に展示物の説明の文章やアナウンスが送信されてくる。そして、企業の宣伝物に近づくと、携帯電話機に、宣伝物の宣伝文と説明文や宣伝のアナウンスが送信されてくる。又、宣伝物の割引クーポンのメールや試供品の引換券のメールが送られてくる。
【００１７】
請求項２の発明の利益提供情報提供システムは、上記ＩＤタグは、識別情報を格納するＩＣと、該識別情報を送信するアンテナとを備えることを特徴とする請求項１に記載の利益提供情報提供システムを要旨とする。
【００１８】
これにより、識別情報検出手段は、ＩＤタグのＩＣ内に格納されている識別情報をアンテナを介して受信することが出来る。従って、ＩＤタグの情報が無線によって検出される。
【００１９】
以後、請求項１と同様の作用を有する。
請求項３の発明の利益提供情報提供システムは、上記識別情報検出手段は、上記ＩＤタグとの間で通信を行う無線通信手段と、該無線通信手段による通信内容から該ＩＤタグに記憶されている識別情報を抽出する識別情報抽出手段とを備えることを特徴とする請求項１、又は請求項２に記載の利益提供情報提供システムを要旨とする。
【００２０】
これにより、ＩＤタグと、識別情報検出手段の無線通信手段との間で、無線通信が行われ、その通信内容から識別情報抽出手段が、ＩＤタグに記憶されている識別情報を抽出する。以後、請求項１と同様に作用する。
【００２１】
請求項４の発明の利益提供情報提供システムは、上記ＩＤタグは、所定エリアへの入場を許可する入場券に埋設されていることを特徴とする請求項１ないし請求項３の何れかに記載の利益提供情報提供システムを要旨とする。
【００２２】
これにより、請求項１の作用が、所定エリアへの入場を許可する入場券に発揮される。
請求項４の発明の利益提供情報提供システムは、ＩＤタグが埋設された入場券が所定エリアの入口を通過するだけで、入口から入ったエリアの説明が送られてきたり、宣伝物の説明や割引券が送られてくる様にすることができ、ＩＤタグを埋設した入場券を持参するものが必要とする情報の提供が自動的に行われることで、利便性が向上すると共に、ＩＤタグを埋設した入場券を持参するものが興味を引いた商品の割引券や試供品提供券の提供が自動的に行われることで、宣伝や営業媒体としての高い機能を提供できるという極めて優れた効果を奏する。
【００２３】
請求項５の発明の利益提供情報提供システムは、上記宛先登録手段への識別情報と、宛先情報との登録は、通信によって行われることを特徴とする請求項１ないし請求項４の何れかに記載の利益提供情報提供システムを要旨とする。
【００２４】
これにより、宛先登録手段への識別情報と、宛先情報との登録を通信によって行うことができる。従って、例えば、携帯電話装置やインターネット経由で、識別情報と、宛先情報とを登録して、請求項１と同様の作用を得ることが出来る。
【００２５】
請求項６の発明の利益提供情報提供システムは、上記ＩＤタグは、識別情報を電子回路で読込可能に記憶する電子読込可能記憶手段と、識別情報を光学的に読込可能に記録する光学読込可能記録手段とを備えることを特徴とする請求項１ないし請求項５の何れかに記載の利益提供情報提供システムを要旨とする。
【００２６】
これにより、請求項１の作用に加えて、ＩＤタグから識別情報を読み込む場合は、電子読込可能記憶手段から電子的に読み込んだり、或いは光学読込可能記憶手段から光学的に読み込むことが可能になる。
【００２７】
例えば、電子的に読み込む電子回路を備えた装置を持っていない場合には、ＩＤタグの表面に印刷されたバーコードや数字印字などで表現された識別情報をビデオカメラやイメージセンサで読み取って、利用したり、目視によって読み取って利用することが可能になる。
【００２８】
請求項７の発明の利益提供情報提供システムは、上記識別情報検出手段は、所定のエリアの入場口に設置され、上記ＩＤタグから識別情報を受信すると共に、印付加手段が上記ＩＤタグに光学的に判別可能な印を付加することを特徴とする請求項１ないし請求項６の何れかに記載に利益提供情報提供システムを要旨とする。
【００２９】
これにより、ＩＤタグが所定のエリアの入口を通過する場合に、識別情報検出手段が識別情報を受信して後、請求項１と同様の作用を有する。
又、印付加手段がＩＤタグに光学的に判別可能な印をＩＤタグに付加する。例えば、入口から入ったことを示す印の印刷をＩＤタグに施す。又、入場日の印字を施す。
【００３０】
請求項８の発明の利益提供情報提供システムは、上記印付加手段は、上記ＩＤタグから識別情報を読み見込めた場合に限り、該ＩＤタグに印を付加することを特徴とする請求項７に記載の利益提供情報提供システムを要旨とする。
【００３１】
これにより、ＩＤタグから識別情報を読み込めた場合に、印付加手段がＩＤタグに印を付加する。一方、読み込めなかった場合には、ＩＤタグに印が付加されない。
従って、ＩＤタグの印の付加状態を見るだけで、ＩＤタグから識別情報が読み込めたか否かを判断することが出来る。
【００３２】
請求項９の発明の利益提供情報提供システムは、上記識別情報検出手段は、利益提供情報に関わる説明を掲示した場所に設置されることを特徴とする請求項１ないし請求項８の何れかに記載の利益提供情報提供システムを要旨とする。
【００３３】
これにより、ＩＤタグを利益提供情報に関わる説明を掲示した場所に持って行くと、例えば、利益提供情報に関わる説明や利益提供情報に関わるクーポンが送付される。
請求項１０の発明の利益提供情報提供システムは、上記識別情報検出手段は、複数設置されることを特徴とする請求項１ないし請求項９の何れかに記載の利益提供情報提供システムを要旨とする。
【００３４】
これにより、入口が複数ある場合や展示物や宣伝物が複数ある場合に、何れの箇所でもＩＤタグの識別情報を検出して、以後請求項１と同様に処理することが可能になる。
請求項１１の発明の利益提供情報提供システムは、上記複数設置された上記識別情報検出手段は、それぞれ相違する検出識別情報を有することを特徴とする請求項１０に記載の利益提供情報提供システムを要旨とする。
【００３５】
これにより、入口が複数ある場合や展示物や宣伝物が複数ある場合に、何れの箇所でもＩＤタグの識別情報を検出して、以後請求項１と同様に処理することが可能になる。しかも、この場合に、入口や展示物の箇所を特定して、以後の処理を行うことが可能になる。
【００３６】
請求項１２の発明の利益提供情報提供システムは、上記複数の識別情報検出手段が受信したＩＤタグの識別情報に基づいて、複数の所定の識別情報検出手段によって検出されている識別情報を検出する条件合致識別情報検出手段を加え、上記宛先情報読込手段を、上記条件合致識別情報検出手段が検出した識別情報に対応して登録されている宛先情報を上記宛先登録手段から入力するとしたことを特徴とする請求項１１に記載の利益提供情報提供システムを要旨とする。
【００３７】
これにより、入口が複数ある場合や展示物や宣伝物が複数ある場合に、何れの箇所でもＩＤタグの識別情報を検出して、以後請求項１と同様に処理することが可能になる。しかも、この場合に、所定の複数の入口や展示物を順に回った識別情報を条件合致識別情報検出手段が検出し、その識別番号に登録されている宛先に利益提供情報を送付することが可能になる。例えば、オリエンテーリングのように所定の箇所を順次回った場合に、それを証明する情報を送付したり、景品を提供したりすることが可能になる。
【００３８】
請求項１３の発明の利益提供情報提供システムは、上記複数の識別情報検出手段が受信したＩＤタグの識別情報に基づいて、所定の識別情報検出手段によって検出された識別情報を検出する当り識別情報検出手段を加え、上記宛先情報読込手段を、上記当り識別情報検出手段が検出した識別情報に対応して登録されている宛先情報を上記宛先登録手段から入力するとしたことを特徴とする請求項１１に記載の利益提供情報提供システムを要旨とする。
【００３９】
これにより、部屋、展示物や宣伝物が複数ある場合に、何れの箇所でもＩＤタグの識別情報を検出して、以後請求項１と同様に処理することが可能になる。しかも、この場合に、所定の部屋や展示物の近傍に居た場合の識別情報を当り識別情報検出手段が検出し、その識別番号に登録されている宛先に利益提供情報を送付することが可能になる。例えば、当り付きの展示物を設け、その展示物を見た場合に、景品を提供することが可能になる。
【００４０】
請求項１４の発明の利益提供情報提供システムは、上記識別情報検出手段が所定時間に受信したＩＤタグの識別情報を検出する時間合致識別情報検出手段を加え、上記宛先情報読込手段を、上記時間合致識別情報検出手段が検出した識別情報に対応して登録されている宛先情報を上記宛先登録手段から入力するとしたことを特徴とする請求項１ないし請求項１３の何れかに記載の利益提供情報提供システムを要旨とする。
【００４１】
これにより、所定の部屋や展示物の近傍に、所定の時間に居た場合の識別情報を時間合致識別情報検出手段が検出し、その識別番号に登録されている宛先に利益提供情報を送付することが可能になる。例えば、指定時間に所定の展示物の所に行くと、景品を提供することが可能になる。
【発明の効果】
【００４２】
請求項１の発明の利益提供情報提供システムは、ＩＤタグが入口を通過するだけで、入口から入ったエリアの説明が送られてきたり、宣伝物の近くに行くだけで、宣伝物の説明や割引券が送られてくる様にすることができ、ＩＤタグを持参するものが必要とする情報の提供が自動的に行われることで、利便性が向上すると共に、ＩＤタグの持参者が商品に興味を引いた場合には、その商品の割引券や試供品提供券の提供が自動的に行われることで、宣伝や営業媒体としての高い機能を提供できるという極めて優れた効果を奏する。
【００４３】
請求項２の発明の利益提供情報提供システムは、ＩＤタグが入口を通過するだけで、ＩＤタグが記憶する識別情報が無線によって検出されて処理され、入口から入ったエリアの説明が送られてきたり、宣伝物の近くに行くだけで、ＩＤタグが記憶する識別情報が無線によって検出されて処理され、宣伝物の説明や割引券が送られてくる様にすることができ、ＩＤタグを持参するものが必要とする情報の提供がＩＤタグを機械に挿入したりすることなく、自動的に行われることで、利便性が向上すると共に、ＩＤタグの持参者が商品に興味を引いた場合には、その商品の割引券や試供品提供券の提供がＩＤタグを機械に挿入することなく、自動的に行われることで、宣伝や営業媒体としての高い機能を提供できるという極めて優れた効果を奏する。
【００４４】
請求項３の発明の利益提供情報提供システムは、ＩＤタグが入口を通過するだけで、ＩＤタグが記憶する識別情報が無線によって検出されて処理され、入口から入ったエリアの説明が送られてきたり、宣伝物の近くに行くだけで、ＩＤタグが記憶する識別情報が無線によって検出されて処理され、宣伝物の説明や割引券が送られてくる様にすることができ、ＩＤタグを持参するものが必要とする情報の提供がＩＤタグを機械に挿入したりすることなく、自動的に行われることで、利便性が向上すると共に、ＩＤタグを持参するものが興味を引いたものが商品である場合には、その商品の割引券や試供品提供券の提供がＩＤタグを機械に挿入することなく、自動的に行われることで、宣伝や営業媒体としての高い機能を提供できるという極めて優れた効果を奏する。
【００４５】
請求項４の発明の利益提供情報提供システムは、ＩＤタグが埋設された入場券が所定エリアの入口を通過するだけで、入口から入ったエリアの説明が送られてきたり、宣伝物の説明や割引券が送られてくる様にすることができ、ＩＤタグを埋設した入場券を持参するものが必要とする情報の提供が自動的に行われることで、利便性が向上すると共に、ＩＤタグを埋設した入場券を持参するものが興味を引いた商品の割引券や試供品提供券の提供が自動的に行われることで、宣伝や営業媒体としての高い機能を提供できるという極めて優れた効果を奏する。
【００４６】
請求項５の発明の利益提供情報提供システムは、通信でＩＤタグの識別番号と、宛先情報とを宛先登録手段に登録しておくだけで、ＩＤタグが入口から入ったエリアの説明が送られてきたり、宣伝物の説明や割引券が送られてくる様にすることができ、ＩＤタグを持参するものが必要とする情報の提供が自動的に行われることで、利便性が向上すると共に、ＩＤタグを持参するものが興味を引いた商品の割引券や試供品提供券の提供が自動的に行われることで、宣伝や営業媒体としての高い機能を提供できるという極めて優れた効果を奏する。
【００４７】
請求項６の発明の利益提供情報提供システムは、ＩＤタグが入口から入ったエリアの説明が送られてきたり、宣伝物の説明の情報や割引券の情報が送られてくる様にすることができ、ＩＤタグを持参するものが必要とする情報の提供が自動的に行われることで、利便性が向上すると共に、ＩＤタグを持参するものが興味を引いた商品の割引券の情報や試供品提供券の情報の提供が自動的に行われることで、宣伝や営業媒体としての高い機能を提供できるという極めて優れた効果を奏する。
【００４８】
しかも、その割引券の情報や試供品の提供券の情報を利用して、割引を行う場合や試供品を提供する場合に、ＩＤタグから光学的に識別情報を読み取って、提供済みの確認を行ったり、提供の報告を行うことが可能になり、利益提供の実行を目視で行うことが可能になり、ＩＤタグの読み取り装置などの機器を備えていない場合でも割引券の情報などを確認して、適切に割引券の行使を行うことが可能になると言う極めて優れた効果を奏する。
【００４９】
請求項７の発明の利益提供情報提供システムは、請求項１と同様の効果を奏することに加え、所定のエリアの入口から入った場合に、ＩＤタグに光学的に判別できる印が付加されるため、使用済みか未使用かを誰でも判別することが可能になり、例えば金券ショップ等でＩＤタグを埋め込んだ入場券の使用の有無判別が容易になり、不正な入場券の売り買いを防止することが可能になると言う極めて優れた効果を奏する。又、入場日が施されていれば、所定の期間を定めた入場券の使用期間が分かるようになり、便利である。又、使用期間の途中での譲渡も安心して行うことが可能になる。
【００５０】
請求項８の発明の利益提供情報提供システムは、請求項１の効果に加え、ＩＤタグへの印の付加状態を見るだけで、ＩＤタグの識別番号の状態を表示する装置を用いることなく、ＩＤタグの状態、例えば適正か否かや、正常に機能するか否かや、不正に作成されたものであるか否かやを判断することが出来るため、システムの運用上の利便性が向上するという極めて優れた効果を奏する。
【００５１】
請求項９の発明の利益提供情報提供システムは、請求項１の効果に加え、ＩＤタグを利益提供情報に関わる説明を掲示した場所に持って行くと、例えば、利益提供情報に関わる説明やクーポンが携帯電話機に送付されてくるように出来ることから、ＩＤタグの持参者と、利益提供情報の提供者双方に便利な機能を提供するという極めて優れた効果を奏する。
【００５２】
請求項１０の発明の利益提供情報提供システムは、請求項１の効果に加え、入口が複数ある場合や展示物や宣伝物が複数ある場合に、何れの箇所でもＩＤタグの識別情報を検出して利用することが出来便利である。
【００５３】
請求項１１の発明の利益提供情報提供システムは、請求項１の効果に加え、入口や展示物毎に、相違する処理を行うことが出来、便利である。
請求項１２の発明の利益提供情報提供システムは、請求項１の効果に加え、オリエンテーリングのように所定の箇所を順次回った場合に、それを証明する情報を送付したり、景品を提供したりすることが可能になる用途の利用が可能になり、便利である。
【００５４】
請求項１３の発明の利益提供情報提供システムは、請求項１の効果に加え、当り付きの展示物を設け、その展示物を見た場合に、景品を提供する用途の利用が可能になり、便利である。
【００５５】
請求項１４の発明の利益提供情報提供システムは、請求項１の効果に加え、指定時間に所定の展示物の所に行くと、景品を提供する用途の利用が可能になり便利である。
【発明を実施するための最良の形態】
【００５６】
次に発明の実施の形態である利益提供情報提供システムを説明する。
図１は、入場券１の正面図である。
入場券１は、厚紙製の本体３と、この本体３に埋設されたＲＦＩＤタグ５と、本体３の表面に印書された識別番号印書７とを備えている。ＲＦＩＤタグ５は、周知のパッシブ型であり電力搬送無線波によって電力供給を受けるとともに、信号通信無線波によって信号の送受信を行うためのアンテナ素子９と、識別番号情報の格納や信号の送受信を行うＩＣ素子１１とを備えている。この構成により、ＲＦＩＤタグ５は、後述する様に外部からの指令に基づいて、記憶する識別番号情報を送信する機能を有する。
【００５７】
又、入場券１は、ＲＦＩＤタグ５が送信する識別情報と、識別番号印書７とは、相関されて設定されている。ここでは、共通の数値データを有する。
図２は、携帯電話機１３の正面図、図３は、通信系統２１の概念図である。通信系統２１には、周知のインターネット２５と、携帯電話機１３との間で、無線によって電話通信サービスの提供と、情報通信サービスの提供とを行う携帯電話システム２７と、詳細を後述する登録センタ２３と、入場券１の有効無効管理を通信によって行うチケット管理センタ５１と、詳細を後述するクーポン管理センタ５３とが含まれている。
【００５８】
図２に示す携帯電話機１３は、ディスプレイ１５と、操作部１７とを備えている。この携帯電話機１３により、入場券１の識別番号の登録を図３に示す登録センタ２３に行う処理を説明する。登録センタ２３は、インターネット２５を利用して、識別番号の登録を受け付け、管理するシステムであって、通常のウェブページからの登録の受け付けや携帯電話システム２７からの登録の受け付けを行う機能を有する。
【００５９】
携帯電話機１３による識別番号の登録手順は、まず、携帯電話機１３によって、自己が所属する携帯電話システム２７を経由して、識別番号登録ページを無線データ通信によって呼び出して、識別番号入力画面１９をディスプレイ１５に表示する。尚、この様な所定のページを呼び出して表示し、入力する構成は、周知慣用技術である。従って、詳細な説明は省略する。
【００６０】
次いで、識別番号入力画面１９のチケットＩＤ入力欄２９に、図１に示す入場券１の券面に印書されている識別番号印書７の文字を操作部１７を用いて入力し、次にｅメールアドレス入力欄３１に、この携帯電話機１３、又は返信メールを希望する携帯電話機１３が受信に利用するｅメールアドレスを操作部１７を用いて入力する。
【００６１】
その後、入力した内容に誤りがなければ、完了ボタン表示３３をクリック（選択実行）して、識別番号の登録を完了する。尚、これと同様の識別番号の登録は、詳細を図示しないがコンピュータを利用して、インターネット２５経由で行うことも可能である。
【００６２】
この様な手順で識別番号を登録すると、携帯電話機１３から入力内容が図３に示す登録センタ２３に送信され、識別番号ーアドレスデータベース３５に格納される。
これにより、識別番号ーアドレスデータベース３５には、入場券１の識別番号の情報と、この識別番号に対応して登録されたｅメールアドレスの情報とが記憶管理され、所定手順での識別番号を提示しての検索要求に対して、ｅメールアドレスを返す機能を有する。尚、データベース管理などは、周知の技術手段で提供可能であり、詳細の説明は省略する。
【００６３】
次に、入場券１を利用して、展示会や展覧会などの開催エリアに入場する場合の処理を説明する。図４は、展覧会の開催エリア６３の施設配置の説明図、図５は、開催エリア６３のブロック図、図６は、入場ゲート装置３７の説明図、図７は、入場券確認処理ルーチンのフローチャートである。
【００６４】
開催エリア６３は、図４に示すように、所定の領域を囲う境界６５内に入るための入口６７と、出るための出口６９とを備え、８箇所の展示エリア７１、７２、７３、７４、７５、７６、７７、７８を備えている。各展示エリア７１ないし７８には、それぞれ入口８１と、出口８３とが設けられている。開催エリア６３の入口６７には、入場ゲート装置３７が設置されている。入場ゲート装置３７は、図５に示すように、開催エリア６３内用のネットワーク８５に接続されている。このネットワーク８５は、外部接続用のネットワーク機器８７によって、インターネット２５に接続されている。又、ネットワーク８５は、内部接続用のネットワーク機器８９によって相互が接続構成されている。尚、内部のネットワーク８５やインターネット２５は、どの様な規格のものであって良い。例えば、インターネット２５に代えて、閉鎖ネットワークや通信回線でも良い。又、ネットワーク機器８７、８９は、ハブやルータ、トランシーバなどがネットワークの規模や仕様に応じて、適宜利用される。
【００６５】
入場ゲート装置３７は、鉄道の改札や出札を自動的に行うシステムとほぼ同様の構造を有するもので、図６に示すように、ゲート本体３９と、開閉扉４１と、入場券受付システム４３とを備えている。入場券受付システム４３は、アンテナやコンピュータなどを備える制御装置４４と、入場券１に印書を行う印書装置４６とを備えている。この構成により、入場ゲート装置３７は、入場券１が入場券受付システム４３に投入されると、図７に示す入場券確認処理を実行後、入場券１が適切な場合には、開閉扉４１を開位置４５にする制御と、入場券１を返却する制御を行って、入場券１の持ち主の入場を許容する動作を行う。
【００６６】
次に、この入場ゲート装置３７で実行される入場券確認処理の詳細を説明する。
まず、投入された入場券１からを識別番号情報を受信する処理を行って（Ｓ１００）、その読み込んだ識別番号をインターネット２５を経由して、チケット管理センタ５１に問い合わせ（Ｓ１１０）、その返答に基づいて、その入場券１での入場が可能であるかの判断を行う（Ｓ１２０）。例えば、チケット管理センタ５１から、問い合わせた識別番号に対して、入場を許可する情報が設定されていないとの返信があった場合には、問い合わせた入場券１での入場を可とする判断は出来ないとし、チケット管理センタ５１センタから、問い合わせた識別番号に対して、入場を許可するするとの返信があった場合には、問い合わせた入場券１での入場を可とする判断が行われる。尚、チケット管理センタ５１では、入場を可とする返信を行った場合には、その情報を記憶する。これにより、入場券１が１パスであれば、次回からの問い合わせに対して、入場を可とする返信が行われなくなる。又、入場券１が期間を定めたものであれば、期間のスタートの情報となったり、入場の記録となる。
【００６７】
このＳ１２０の判断で、入場が可であるとされた場合には、次に、その可となった入場券１に入場の証となる図８に示す入場印５７を印書装置４６によって印書して、開催エリアの内側の図６に示す返却口４７に返却する処理を行うとともに（Ｓ１３０）、開閉扉４１を開位置４５にする処理を行い（Ｓ１４０）、入場券１の識別番号をインターネット２５を経由して、クーポン管理センタ５３に送信する処理を行う（Ｓ１５０）。尚、入場印５７は、日付情報を含むようにしても良い。この場合には、使用した日付が明確になり、期間を定めた入場券１に便利である。
【００６８】
クーポン管理センタ５３では、詳細は後述するが、この入場ゲート装置３７の入場者に対して、展示会や展覧会の説明データやクーポンデータの送信が登録されているかを判断し、登録されていれば、その識別番号のデータを登録センタ２３に送信して、返信のｅメールアドレスの送信を求め、返信が有ったら、返信されたｅメールアドレス宛に、登録されていたデータを送信する。例えば、会場の説明画像や、説明音声、粗品引き替え情報、カタログ引き替え情報などを返信されてきたｅメールアドレス宛に送信する処理を行う。
【００６９】
一方、Ｓ１２０の処理で、この入場券１での入場が可能ではないと判断された場合には、次に、入場券１を開催エリアの外側の図６に示す返却口４９に使用不可として返却するとともに（Ｓ１６０）、開閉扉４１を閉位置５５にする処理を行う（Ｓ１７０）。
【００７０】
以上に説明した図７の入場券確認処理により、入場券１による開催エリアへの入場の管理と、クーポンや説明画像データ、音声データのｅメール送信が行われる。又、無接触型の入場券１への入場印５７を施す処理が行われる。
【００７１】
この様な入場印５７を施すことにより、無接触型の入場券１の有効、無効、使用済みの有無の証拠が入場券１に光学的に確認可能に施されることになり、入場券１を適正に入手したものが、入場ゲート装置３７で、使用済みの入場券１を誤って使用したとの誤解を受けることが防止される。又、この入場印５７を他の場所で提示して、入場の確認をする用途に用いることが出来る。尚、入場印５７に代えて、入場券１に入場開穴５９を形成するようにしても良い。入場開穴５９を形成することにより、インク切れによる印字不良等の弊害の発生が防止される。
【００７２】
次に、図４に示す展示エリア７１の説明を行う。
展示エリア７１は、入口８１が図９に示すようになっており、入口８１の近傍に受付機６１を備えている。又、図１０に示すように、展示物１展示９３の近傍には、受付機９１を備えている。これら受付機６１、９１は、図５に示すように、ネットワーク８５に接続されている。
【００７３】
入口８１の受付機６１の近傍には、図９に示すように、展示エリア７１の説明表示９５と、受付機６１の説明表示９７とが壁面や掲示板等に掲示されている。
受付機６１の説明表示９７には、受付機６１の機能を来場者に説明する文面が掲示されている。ここでは、説明表示９７として、「チケットをかざすだけで、受付出来ます。館内説明パンフレット、紹介音声メールを送信します。」が掲示されている。
【００７４】
受付機６１は、構成の詳細の説明は、省略するが、入場券１のＲＦＩＤタグ５から識別番号の情報が含まれた電波を受信するアンテナ９９と、アンテナ９９が受信した電波から識別番号の情報を抽出して、クーポン管理センタ５３に送信する受付制御装置１０１と、入場券１の受付を行ったことを表示する表示灯１０３とを備えている。尚、アンテナ９９、受付制御装置１０１、表示灯１０３の一般的な構成は、当業者の周知技術であるので、詳細の説明は省略する。
【００７５】
又、展示物１展示９３の受付機９１は、受付機６１とほぼ同様の構造を有し、アンテナ９９、受付制御装置１０１、表示灯１０３を備える。この受付機９１が設置されている展示物１展示９３は、展示物１０５と、受付機９１の説明表示１０７とを備えている。受付機９１の説明表示１０７には、ここでは、「チケットで説明音声メール送ります。」と掲示されている。
【００７６】
次に、入口８１の受付機６１で行われる処理を図１１に示す入口処理ルーチンのフローチャートに基づいて説明する。
この入口処理は、受付機６１の受付制御装置１０１によって、繰り返し実行されている。
【００７７】
まず、受付機６１の近傍にかざされた入場券１から入場券１に格納されている識別番号情報を受信する処理を行う（Ｓ２００）。この処理は、新たな識別番号の情報を受信すると、次の処理に移行して、次に、読み取った識別番号と、受付機６１の識別番号とをクーポン管理センタ５３に送信する処理と（Ｓ２１０）、受付しましたの表示灯１０３を３秒間点灯する処理とを行う（Ｓ２２０）。
【００７８】
この様に入口処理が受付機６１に入場券１がかざされる毎に実行される。従って、携帯電話機１３を持った入場者が説明表示９７を見て、その説明の内容の利益の享受を受けようと思い、入場券１であるチケットを受付機６１にかざすと、受付機６１の表示灯１０３が点灯して、チケットの受付が適切に行われたことを確認して、その後のメールの到着を期待して待つという行動が繰り返し、行われるようになる。
【００７９】
次に、Ｓ２１０の処理によって送信された、識別番号の情報を受信するクーポン管理センタ５３によって行われる処理を図１２に基づいて説明する。
クーポン管理センタ５３では、まず入場券１などから読み取った識別番号と、その情報を読み込んだ受付機の識別番号の組を入力する処理を行い（Ｓ３００）、この情報の入力があると、次の処理に移行して、その入力した情報から受付機の識別番号に該当する情報の抽出を行い（Ｓ３１０）、該当情報の有無を判断する（Ｓ３２０）。
【００８０】
例えば、受付機６１の識別番号に該当する情報、例えば展示エリア７１の平面図の画像情報や展示エリア７１の展示内容の大凡の説明アナウンスの音声データが登録されていなければ、本クーポン管理センタ処理をそのまま一旦終了し、一方、受付機の識別番号に対して情報が格納されていれば（Ｓ３２０）、次に登録センタ２３に入場券１などの識別番号を送信して、その識別番号に対して登録されているアドレス情報を問い合わせる。
【００８１】
登録センタ２３に、入場券１の識別番号に対するアドレス情報が登録されていれば、その返信のアドレス情報の送信がある（Ｓ３４０）。
それを受信出来なければ、本クーポン管理センタ管理処理ルーチンを一旦終了し、返信が有れば、次にその受信したアドレス情報に基づいて、受付機に登録されている情報を送信する（Ｓ３５０）。例えば、アドレス情報にｅメールアドレスが登録されている場合には、受付機６１に登録されている展示エリア７１の平面図の画像情報と、説明アナウンス情報とをｅメールアドレスにメール送信する。これにより、このｅメールアドレスを有する携帯電話機１３にｅメールが送信され、そのメールを開いて、展示エリア７１の平面図を見ることと、展示エリア７１の展示内容の音声アナウンスを聞くこととが可能になる。
【００８２】
ｅメールを送信後は（Ｓ３５０）、送信に関わった情報を図示しない送信先データベースに格納する。この送信先データベースは、後刻、クーポン管理センタ５３にクーポン情報などの送信を依頼した受付機の管理者によって、参照することが可能である。この参照により、ｅメールの送信先のアドレス情報を取得して、再度の情報の送信に利用したり、統計処理に利用したりすることが可能になる。
【００８３】
以上に説明したクーポン管理センタ処理により、受付機６１、９１等が受信した入場券１の識別番号に対して予め登録されているアドレスに、受付機６１、９１に対して登録されている情報が送信される。従って、例えば、入場券１の所有者が予め自己の所有する携帯電話機１３の受信ｅメールアドレスを入場券１の識別番号に対応して登録しておくだけで、入場券１を受付機６１、９１にかざす毎に、自己の携帯電話機１３に受付機６１、９１に登録されている情報が送信されてくるようになり、携帯電話機１３の所有者は、その送信されてきた情報を見たり、聞いたり、印刷したり、利用したりすることが可能になる。例えば、入場券１を受付機６１にかざすと、館内説明パンフレットの画像情報と、館内紹介音声情報とがｅメールで送信されてくる。
【００８４】
次に、入場券１を展示物１展示９３の受付機９１にかざした場合の処理を、図１３に示す展示物１処理ルーチンのフローチャートに基づいて、説明する。
この処理が起動されると、まず受付機９１の近傍にかざされた入場券１から入場券１に格納されている識別番号情報を受信する処理を行う（Ｓ４００）。この処理は、新たな識別番号の情報を受信すると、次の処理に移行して、次に、読み取った識別番号と、受付機９１の識別番号とをクーポン管理センタ５３に送信する処理と（Ｓ４１０）、受付しましたの表示灯１０３を３秒間点灯する処理とを行う（Ｓ４２０）。
【００８５】
この様に展示物１処理が受付機９１に入場券１がかざされる毎に実行される。従って、携帯電話機１３を持った入場者が説明表示１０７を見て、その説明の内容の利益の享受を受けようと思い、入場券１であるチケットを受付機９１にかざすと、受付機９１の表示灯１０３が点灯して、チケットの受付が適切に行われたことを確認して、その後のメールの到着を期待して待つという行動が繰り返し、行われるようになる。
【００８６】
受付機９１からの情報を受信するクーポン管理センタ５３では、図１２に基づいて既述したクーポン管理センタ処理が実行され、受付機９１に登録されていた情報を送信する処理を行う。
【００８７】
例えば、受付機９１に対して展示物１０５の説明音声メールを送信するように登録が行われている場合には、説明音声のデータが携帯電話機１３に送信される。
以下、様々な箇所に設定される受付機の例を説明するが、基本的に、図１１ないし図１３に示した処理と同様の処理が実行される。従って、個々の詳細な動作説明は省略する。
【００８８】
図４に示す展示エリア７１の入口８１には、受付機１１１が設置され、図９に説明した内容、及び図１１の入口処理とほぼ同様に機能する。又、展示エリア７３、７４の入口８１の受付機１１３、１１５も同様である。
【００８９】
図４に示すように、展示エリア７２内の受付機１２１は、図１４に示すような宣伝物１展示１２３の近傍に設置されている。
この宣伝物１展示１２３には、宣伝物１２５と、受付機１２１の説明表示１２７が設置されている。宣伝物１２５は、商品の販促を目的とするものである。説明表示１２７には、受付機１２１に入場券１をかざすと提供される利益や便宜（利益提供）の内容が記載されている。
【００９０】
ここでは、説明表示１２７に、「チケットで説明音声メール、購入割引クーポンメール致します。」と表示されている。これを読んだ、入場者は、受付機１２１に、入場券１をかざすことで、宣伝物１２５に関わるものの説明音声を自己が所有する携帯電話機１３で受信することが出来ると理解し、それを期待して、入場券１を受付機１２１にかざしたり、或いはかざすことを選択しないことを実行する。又、宣伝物１２５に関わるものの購入割引クーポンを携帯電話機１３で受け取ることが出来ると理解し、この購入割引クーポンを欲して、入場券１を受付機１２１にかざすことを選択したり、或いは必要ないとして、かざさないことを選択する。
【００９１】
尚、ここでは２種類のメールが別々に内容を明示して送信され、受信者が選択して情報を受信したり、サーバーで破棄したりすることが可能である。これにより、不要なメールの受信をキャンセルすることが出来、電波資源の浪費を防止することが出来る。
【００９２】
図４に示すように、展示エリア７３内の受付機１３１は、図１５に示すような宣伝物２展示１３３の近傍に設置されている。
この宣伝物２展示１３３には、宣伝物１３５と、受付機１３１の説明表示１３７が設置されている。宣伝物１３５は、商品の販促を目的とするものである。説明表示１３７には、受付機１３１に入場券１をかざすと提供される利益や便宜（利益提供）の内容が記載されている。
【００９３】
ここでは、説明表示１３７に、「チケットをかざすだけで説明音声メール、ラリーゲームサービス、購入割引クーポンメール致します。」と表示されている。これを読んだ、入場者は、受付機１３１に、入場券１をかざすことで、宣伝物１３５に関わるものの説明音声を自己が所有する携帯電話機１３で受信することが出来ると理解し、それを期待して、入場券１を受付機１３１にかざしたり、ラリーゲームを楽しむことが出来ると理解して、入場券１をかざしたり、或いはかざすことを選択しないことを実行する。又、宣伝物１３５に関わるものの購入割引クーポンを携帯電話機１３で受け取ることが出来ると理解し、この購入割引クーポンを欲して、入場券１を受付機１３１にかざすことを選択したり、或いは必要ないとして、かざさないことを選択する。
【００９４】
又、ラリーゲームサービスの内容に関しては、ゲーム方法と、受付証拠画像とが送信されてくる。これにより、携帯電話機１３の所有者は、例えば、ゲーム方法の記載内容に従って、指定された複数の受付機を指定されたように回り、所定の景品やサービスの提供を指定された方法で受けることが可能になる。尚、ラリーゲームに関しては、実行形式のメールを送信して、携帯電話機１３で実行させ、以後の受付機に入場券１をかざした場合に送信されるメールで、ゲームが進行するようにし、ゲームをクリアした場合に、以後の景品やサービスの提供を行う構成にしても良い。この様にすることで、個々のラリーゲームが画一的でなくなり、携帯電話機１３の所有者がそれぞれ相違する課題を解決することになり、参加者にマンネリ感を発生させることがなくなる。従って、同一人が何回もラリーゲームを楽しむことが出来る。又、話題性があり、宣伝物２展示１３３への来訪者の増加効果を見込める。
【００９５】
尚、ここでは３種類のメールが別々に内容を明示して送信され、受信者が選択して情報を受信したり、サーバーで破棄したりすることが可能である。これにより、不要なメールの受信をキャンセルすることが出来、電波資源の浪費を防止することが出来る。
【００９６】
図４に示すように、展示エリア７４内の受付機１４１は、図１６に示すような宣伝物３展示１４３の近傍に設置されている。
この宣伝物３展示１４３には、宣伝物１４５と、受付機１４１の説明表示１４７が設置されている。宣伝物１４５は、商品の販促を目的とするものである。説明表示１４７には、受付機１４１に入場券１をかざすと提供される利益や便宜（利益提供）の内容が記載されている。
【００９７】
ここでは、説明表示１４７に、「チケットをかざすだけで説明音声メール、くじ引き当りメール、購入割引クーポンメール致します。」と表示されている。これを読んだ、入場者は、受付機１４１に、入場券１をかざすことで、宣伝物１４５に関わるものの説明音声を自己が所有する携帯電話機１３で受信することが出来ると理解し、それを期待して、入場券１を受付機１４１にかざしたり、くじ引きが出来ると理解して、入場券１をかざしたり、或いはかざすことを選択しないことを実行する。又、宣伝物１４５に関わるものの購入割引クーポンを携帯電話機１３で受け取ることが出来ると理解し、この購入割引クーポンを欲して、入場券１を受付機１４１にかざすことを選択したり、或いは必要ないとして、かざさないことを選択する。
【００９８】
又、くじ引き当りメールの内容に関しては、所定の要件でのくじ引きが行われ、外れ画像か、当りの景品やサービス提供のクーポンデータメールが送信されてくる。抽選方法は、乱数を利用した方法や所定の識別番号の入場券１を当りにする方法、所定の時間や所定の時間範囲に入場券１をかざした場合に当りとする方法など様々な方法が可能である。
【００９９】
図４に示すように、展示エリア７５内の受付機１５１は、図１７に示すような宣伝物４展示１５３の近傍に設置されている。
この宣伝物４展示１５３には、宣伝物１５５と、受付機１５１の説明表示１５７が設置されている。宣伝物１５５は、商品の販促を目的とするものである。説明表示１５７には、受付機１５１に入場券１をかざすと提供される利益や便宜（利益提供）の内容が記載されている。
【０１００】
ここでは、説明表示１５７に、「チケットをかざすだけで説明音声メール、購入割引クーポンメール致します。」と表示されている。これを読んだ、入場者は、受付機１５１に、入場券１をかざすことで、宣伝物１５５に関わるものの説明音声を自己が所有する携帯電話機１３で受信することが出来ると理解し、それを期待して、入場券１を受付機１５１にかざしたり、或いはかざすことを選択しないことを実行する。又、宣伝物１５５に関わるものの購入割引クーポンを携帯電話機１３で受け取ることが出来ると理解し、この購入割引クーポンを欲して、入場券１を受付機１５１にかざすことを選択したり、或いは必要ないとして、かざさないことを選択する。
【０１０１】
又、「○時から○時の間に、チケットをかざすと、もれなくプレゼントクーポンメールを差し上げます。」と表示されている。
このプレゼントクーポンメールは、表示された時間に入場券１を受付機１５１にかざすと既述した方法で、送られてくるようになっており、携帯電話機１３によって表示されたり、印刷されたりして、行使される。
【０１０２】
次に、受付機６１、９１、１２１、１３１、１４１、１５１に代えて用いる受付機１６１を図１８に示す外観図に基づいて説明する。
この受付機１６１は、受付機６１、９１、１２１、１３１、１４１、１５１が備えるアンテナ９９、受付制御装置１０１、表示灯１０３の構成に加えて、アドレス情報を予め登録していない入場券１に割引券、粗品提供券、サービス提供券などのクーポン内容を直接印刷する直接チケット処理装置１６３を備えている。構成の詳細な説明は省略するが、直接チケット処理装置１６３は、入場券１の挿入口１６５と、入場券１の本体３の表面に印刷を行う印刷機１６７とを備え、挿入口１６５から挿入された入場券１の表面に、予め登録しておいたクーポンの内容を印刷するとともに、その印刷を行った入場券１から識別番号を読み込んで、クーポン管理センタ５３に印刷した内容の情報と、入場券１の識別番号とを送信する処理を行う。
【０１０３】
これらの処理により、入場券１には、クーポン内容が印刷され、この入場券１を提示することで、クーポンの内容の便宜（利益提供）の提供を受けることが可能になる。又、この入場券１の識別番号の情報を受信するクーポン管理センタ５３では、受信した識別番号の情報を記録管理し、受付機１６１の管理者からの求めに応じて、識別番号の情報と、受け付けた受付機１６１の情報と、提供したクーポンの内容の情報とを提供する。
【０１０４】
以上に説明した受付機１６１は、アドレス情報を予め登録していなかった場合でもクーポンの提供が可能であり、顧客の獲得機能や集客機能、或いは高い顧客満足度の提供が可能になるとともに、識別情報の収集が可能になり、後日の営業活動に活用することが可能になると言う極めて優れた効果を奏する。
【０１０５】
次に、クーポン管理センタ５３から送信されたｅメールの利用例を説明する。
ｅメールは、携帯電話機１３によって受信されディスプレイ１５に表示されると、例えば図１９に示す様に、「○○優待メールクーポン、××パーセント引き、△△チケット１回限り、ＩＤ  ○○○○、この画面を店頭で見せるか、印刷して、持参してください。」のように表現されたり、図２０に示すように、「○○音声メールクーポン、ＩＤ番号○○○○の○○チケットを持参して、下記の音声を店頭で再生してください。  ××を店頭で差し上げます。、又、△△を□□引きで１台購入できます。」の様に表現されたり、図２１に示すように、「○○メールクーポン、ＩＤ番号○○○○の○○チケットを持参して、下記の紋様を店頭で見せてください。、××を店頭で差し上げます。、又、△△を□□引きで１台購入できます。（２次元バーコードの紋様）」と表現されている。
【０１０６】
この様なメールを受け取った携帯電話機１３の使用者は、内容に興味が有れば、このメールの内容を行使することになる。
例えば、図１９に示すようなメールを受け取った場合には、メールの内容に従って、このメールの画像を店頭で直接見せるか、印刷して見せるかして、割引の特典（利益提供情報）を受けることになる。例えば、デパートやスーパーマーケットなどで、買い物価格の割引を受けたり、自動車やコンピュータなどの商品の割引の特典（利益提供情報）を受けたりする。
【０１０７】
この様なメールを見せられる店頭側では、単に見るだけでクーポンの内容の特典（利益提供情報）の提供を行う様にしたり、或いは表示されているＩＤ番号を記録したり、或いはネットで確認後、クーポンの特典（利益提供情報）の提供を行う。
【０１０８】
ネットで確認を行う場合には、図示しない情報処理装置で、インターネット２５を経由して、クーポン管理センタ５３に接続し、登録されている入場券１の識別番号とクーポンに表示されているＩＤの番号の内容とが一致するかなどをチェックする。
【０１０９】
又、図２０に示す様なメール内容の場合には、このメールの元となった入場券１の持参を要求する。又、クーポンの内容などは、音声によって表現される。
この様にクーポンメールの元となった入場券１の持参を要求することにより、このクーポンメールが真性であるかの確認が容易になる。又、クーポンの行使の確認印や確認マークを入場券１に付与することが出来、２重行使などの防止を図ることが出来る。例えば、特に高割引率のクーポンや粗品や景品の提供メールの場合には、有効である。
【０１１０】
又、クーポンの内容を音声により表現する様にすることで、画像が確認しにくいような暗い環境や高齢者などの利用に有用である。
図２１に示す様な２次元バーコード１９１を印刷することで、この２次元バーコード１９１を読み取り機で読み取って、クーポンの内容を確認したり、真正なクーポンであることを確認したりする用途に便利である。この様にバーコードを利用することで機械によるクーポンの内容の読み取りが容易になる。
【０１１１】
尚、入場券１の本体３に印刷されている識別番号印書７は、コンピュータ処理を行う場合には、操作を行うものが目視で読み取るか、ＯＣＲで読み取って、識別番号を入力する方法を用いることが可能である。
【０１１２】
図２２は、店頭などに設置され入場券１の識別番号を読み取って、その入場券１に提供することが約束されているクーポン内容をクーポン管理センタ５３に確認後、クーポン券１７１を発行するクーポン処理装置１７３の外観図である。
【０１１３】
このクーポン処理装置１７３は、入場券１のＲＦＩＤタグ５から識別番号を受信するアンテナ１７５と、識別番号印書７を光学的に読み取るＯＣＲユニット１７７と、入場券１の識別番号を読み取ったことと、その読み取った識別番号をクーポン管理センタ５３に問い合わせた結果とを表示する表示装置１７９と、制御を行う制御装置１８１と、クーポン券１７１を印刷する印字装置１８３とを備えている。
【０１１４】
制御装置１８１は、表示装置１７９に、例えば、入場券１から読み取った識別番号を表示する構成と、識別番号が読み取れなかった場合に、読み取れなかったことを表示する構成と、読み取った識別番号をクーポン管理センタ５３に問い合わせていること状態を表示する構成と、クーポン管理センタ５３に問い合わせた結果、識別番号が登録されていない場合に、登録がないことを表示する構成と、問い合わせた結果、クーポンが設定されていることを表示する構成と、クーポンを印刷するとともに、表示する構成とを備えている。
【０１１５】
この様な、クーポン処理装置１７３を利用することで、携帯電話機１３を持っていない場合や、ｅメールを受信することが出来ない場合などに、入場券１から識別番号を読み取って、クーポン管理センタ５３にネットワーク経由で問い合わせ、クーポン券１７１を発行でき便利である。
【０１１６】
以上に説明した利益提供情報提供システムは、ＲＦＩＤタグ５を内蔵する入場券１が開催エリア６３や展示エリア７１の入口６７、８１を通過するだけで、入口６７、８１から入った開催エリア６３や展示エリア７１の説明が携帯電話機１３にｅメールで送られてきたり、宣伝物の近くに行くだけで、宣伝物の説明や割引券がｅメールで送られてくる様にすることができ、入場券１を持参するものが必要とする情報の提供が自動的に行われることで、利便性が向上すると共に、入場券１の持参者が商品に興味を引いた場合には、その商品の割引券や試供品提供券の提供が自動的に行われることで、宣伝や営業媒体としての高い機能を提供できるという極めて優れた効果を奏する。
【０１１７】
しかも、その割引券の情報や試供品の提供券の情報を利用して、割引を行う場合や試供品を提供する場合に、入場券１から光学的に識別情報を読み取って、提供済みの確認や提供済みの確認印を行ったり、提供の報告を行うことが可能になり、利益提供の実行を目視で行うことが可能になり、ＩＤタグの読み取り装置などの機器を備えていない場合でも割引券の情報などを確認して、適切に割引券の行使を行うことが可能になると言う極めて優れた効果を奏する。
【０１１８】
又、開催エリア６３の入口６７から入った場合に、入場券１に光学的に判別できる入場印５７が付加されるため、使用済みか未使用かを誰でも判別することが可能になり、例えば金券ショップ等でＩＤタグを埋め込んだ入場券の使用の有無判別が容易になり、不正な入場券の売り買いを防止することが可能になると言う極めて優れた効果を奏する。又、入場日が施されていれば、所定の期間を定めた入場券の使用期間が分かるようになり、便利である。又、使用期間の途中での譲渡も安心して行うことが可能になる。
【０１１９】
その上、入場券１を利益提供情報に関わる説明を掲示した場所に持って行くと、例えば、利益提供情報に関わる説明やクーポンが携帯電話機１３に送付されてくるように出来ることから、入場券１の持参者と、利益提供情報の提供者双方に便利な機能を提供するという極めて優れた効果を奏する。
【０１２０】
しかも、入口が複数ある場合や展示物や宣伝物が複数ある場合に、何れの箇所でも入場券１の識別情報を検出して利用することや、相違する処理を行うことが出来、便利である。
【０１２１】
又、オリエンテーリングのように所定の箇所を順次回った場合に、それを証明する情報を送付したり、景品を提供したりすることが可能になる用途の利用が可能になり、便利である。
【０１２２】
或いは、当り付きの展示物を設け、その展示物を見た場合に、景品を提供する用途の利用が可能になり、便利である。
又、指定時間に所定の展示物の所に行くと、景品を提供する用途の利用が可能になり便利である。
【０１２３】
尚、本発明は上記の実施例に限定されるものではなく、本発明の範囲内で様々な態様の実施が可能である。
本発明の特許請求の範囲の宛先情報読込手段と、利益提供情報記憶手段と、利益提供情報送付手段との機能は、クーポン管理センタ５３が有する。
【０１２４】
又、宛先登録手段の機能は、登録センタ２３が有する。ＩＤタグは、ＲＦＩＤタグ５、識別情報検出手段は、入場ゲート装置３７、受付機６１、９１、１１１、１１３、１２１、１４１、１５１、１６１が対応する。
【０１２５】
光学読込可能記憶手段は、入場券１の本体３上に印書されている識別番号印書７が対応する。印付加手段は、印書装置４６が対応する。
条件合致識別情報検出手段は、クーポン管理センタ５３によって実行されるラリーゲーム処理を行う構成が対応する。当り識別情報検出手段、時間合致識別情報検出手段は、クーポン管理センタ５３によって実行される当りの判断やくじ引きの処理を行う構成が対応する。
【図面の簡単な説明】
【０１２６】
【図１】入場券１の正面図である。
【図２】携帯電話機１３の正面図である。
【図３】通信系統２１の概念図である。
【図４】展覧会の開催エリア６３の施設配置の説明図である。
【図５】開催エリア６３のブロック図である。
【図６】入場ゲート装置３７の説明図である。
【図７】入場券確認処理ルーチンのフローチャートである。
【図８】入場印５７の説明図である。
【図９】展示エリア７１の説明図である。
【図１０】展示物１展示９３の説明図である。
【図１１】受付機６１で行われる入口処理ルーチンのフローチャートである。
【図１２】クーポン管理センタ処理ルーチンのフローチャートである。
【図１３】展示物１処理ルーチンのフローチャートである。
【図１４】宣伝物１展示１２３の近傍の説明図である。
【図１５】宣伝物２展示１３３の近傍の説明図である。
【図１６】宣伝物３展示１４３の近傍の説明図である。
【図１７】宣伝物４展示１５３の近傍の説明図である。
【図１８】受付機１６１の外観図である。
【図１９】携帯電話機１３によって受信されディスプレイ１５に表示される画像の説明図である。
【図２０】携帯電話機１３によって受信されディスプレイ１５に表示される画像の説明図である。
【図２１】携帯電話機１３によって受信されディスプレイ１５に表示される画像の説明図である。
【図２２】クーポン処理装置１７３の外観図である。
【符号の説明】
【０１２７】
１・・・入場券、
３・・・本体、
５・・・ＲＦＩＤタグ、
７・・・識別番号印書、
９・・・アンテナ素子、
１１・・・ＩＣ素子、
１３・・・携帯電話機、
１５・・・ディスプレイ、
１７・・・操作部、
１９・・・識別番号入力画面、
２１・・・通信系統、
２３・・・登録センタ、
２５・・・インターネット、
２７・・・携帯電話システム、
２９・・・チケットＩＤ入力欄、
３１・・・ｅメールアドレス入力欄、
３３・・・完了ボタン表示、
３５・・・識別番号ーアドレスデータベース、
３７・・・入場ゲート装置、
３９・・・ゲート本体、
４１・・・開閉扉、
４３・・・入場券受付システム、
４４・・・制御装置、
４５・・・開位置、
４６・・・印書装置、
４７・・・返却口、
４９・・・返却口、
５１・・・チケット管理センタ、
５３・・・クーポン管理センタ、
５５・・・閉位置、
５７・・・入場印、
５９・・・入場開穴、
６１・・・受付機、
６３・・・開催エリア、
６７・・・入口、
６９・・・出口、
７１・・・展示エリア、
７３・・・展示エリア、
８１・・・入口、
８３・・・出口、
８５・・・ネットワーク、
８７・・・ネットワーク機器、
８９・・・ネットワーク機器、
９１・・・受付機、
９３・・・展示物１展示、
９５・・・説明表示、
９７・・・説明表示、
９９・・・アンテナ、
１０１・・・受付制御装置、
１０３・・・表示灯、
１０５・・・展示物、
１０７・・・説明表示、
１１１・・・受付機、
１１３・・・受付機、
１２１・・・受付機、
１２３・・・宣伝物１展示、
１２５・・・宣伝物、
１２７・・・説明表示、
１３１・・・受付機、
１３３・・・宣伝物２展示、
１３５・・・宣伝物、
１３７・・・説明表示、
１４１・・・受付機、
１４３・・・宣伝物３展示、
１４５・・・宣伝物、
１４７・・・説明表示、
１５１・・・受付機、
１５３・・・宣伝物４展示、
１５５・・・宣伝物、
１５７・・・説明表示、
１６１・・・受付機、
１６３・・・直接チケット処理装置、
１６５・・・挿入口、
１６７・・・印刷機、
１７１・・・クーポン券、
１７３・・・クーポン処理装置、
１７５・・・アンテナ、
１７７・・・ＯＣＲユニット、
１７９・・・表示装置、
１８１・・・制御装置、
１８３・・・印字装置、
１９１・・・次元バーコード
【図１】
2005148841.tif 000003
【図２】
2005148841.tif 000004
【図４】
2005148841.tif 000005
【図５】
2005148841.tif 000006
【図６】
2005148841.tif 000007
【図７】
2005148841.tif 000008
【図８】
2005148841.tif 000009
【図９】
2005148841.tif 000010
【図１１】
2005148841.tif 000011
【図１２】
2005148841.tif 000012
【図１３】
2005148841.tif 000013
【図１４】
2005148841.tif 000014
【図１５】
2005148841.tif 000015
【図１６】
2005148841.tif 000016
【図１７】
2005148841.tif 000017
【図１８】
2005148841.tif 000018
【図１９】
2005148841.tif 000019
【図２０】
2005148841.tif 000020
【図２１】
2005148841.tif 000021
【図２２】
2005148841.tif 000022
【図３】
2005148841.tif 000023
【図１０】
2005148841.tif 000024